(57)【要約】      （修正有）【課題】電極体の体積増加を抑制しつつ、セパレータが収縮した時に電極の接触を抑制できる蓄電素子及び蓄電装置の提供。【解決手段】第一の電極２１と第二の電極２２とがセパレータ２５を介して重なる電極体を備え、第一の電極２１は、周縁から延びる第一延出片２２４とを有し、第二の電極２２は、周縁から延びる第二延出片２３３２とを有し、第一延出片２２４が延びる第一方向におけるセパレータ２５の各端縁は、該第一方向における第一電極２１本体の対応する端縁より外側にあり、第一延出片２２４は、その先端を含む部位がセパレータ２５の端縁より突出する位置まで延び、セパレータ２５の第一方向の寸法は、第二電極２２本体の第一方向の寸法より大きく、セパレータ２５の第一方向の端縁のうちの第一延出片２２４が突出している側の第一端縁２５１とは反対側の第二端縁２５２は、第二電極２２本体の対応する端縁と同じ位置にあることを特徴とする。【選択図】図１２
2019053818.tif 000002
【特許請求の範囲】
【請求項１】
第一の電極、セパレータ、及び前記第一の電極と極性が異なる第二の電極を有し、前記第一の電極と前記第二の電極とが前記セパレータを介して重なる電極体を備え、
前記第一の電極は、第一電極本体と、該第一電極本体の周縁から延びる第一延出片と、を有し、
前記第二の電極は、第二電極本体と、該第二電極本体の周縁から延びる第二延出片と、を有し、
前記第一延出片が延びる第一方向における前記セパレータの各端縁は、該第一方向における前記第一電極本体の対応する端縁より外側にあり、
前記第一延出片は、その先端を含む部位が前記セパレータの端縁より突出する位置まで延び、
前記セパレータの前記第一方向の寸法は、前記第二電極本体の前記第一方向の寸法より大きく、
前記セパレータの前記第一方向の端縁のうちの前記第一延出片が突出している側の第一端縁とは反対側の第二端縁は、前記第二電極本体の対応する端縁と同じ位置にある、蓄電素子。
【請求項２】
第一の壁部及び該第一の壁部と間隔をあけて対向する第二の壁部を含み且つ前記第一の壁部と前記第二の壁部との間に前記電極体を収容するケースを備え、
前記セパレータの前記第一端縁が前記第一の壁部に直接又は間接に当接すると共に、前記セパレータの前記第二端縁が前記第二の壁部に直接又は間接に当接する、請求項１に記載の蓄電素子。
【請求項３】
前記第一の壁部の前記ケースの内側を向いた内面は、前記第一延出片と対応する位置に設けられた凹部を含んでいる、請求項２に記載の蓄電素子。
【請求項４】
前記第二電極本体は、前記第一方向と直交する第二方向の一方側が開放されるように折り返された第一の折り返し部と、前記第二方向の他方側が開放されるように折り返された第二の折り返し部とが交互に配置されたつづら折り状態であり、
前記第一の電極は、前記第一延出片の延びる方向が各折り返し部のターン軸の延びる方向に沿うように前記第一の折り返し部の内側と前記第二の折り返し部の内側とのそれぞれに配置され、
前記第一の折り返し部及び前記第二の折り返し部の各折り返し部において前記第一の電極と前記第二の電極との間に配置されている前記セパレータは、二軸延伸されたセパレータである、請求項１〜３のいずれか１項に記載の蓄電素子。
【請求項５】
前記電極体を収容するケースを備え、
前記セパレータは、二軸延伸されたセパレータであり、
前記ケースは、少なくとも前記電極体の所定領域を、前記第一の電極と前記第二の電極とが重なる方向の両側から押圧した状態で該電極体を収容し、
前記所定領域は、前記電極体において、前記第一方向と直交し且つ前記第一の電極に沿った方向における前記第一電極本体の両端部と対応する領域である、請求項１〜３のいずれか１項に記載の蓄電素子。
【請求項６】
請求項１〜３のいずれか１項に記載の複数の蓄電素子であって、前記第一の電極と前記第二の電極とが重なる方向に並ぶ複数の蓄電素子と、
前記複数の蓄電素子を保持する保持部材と、を備え、
前記複数の蓄電素子のそれぞれは、前記電極体を収容するケースを有し、
前記複数の蓄電素子の各セパレータは、二軸延伸されたセパレータであり、
前記保持部材は、各蓄電素子において少なくとも前記電極体の所定領域が前記第一の電極と前記第二の電極とが重なる方向の両側から前記ケースを介して押圧されるように前記複数の蓄電素子を保持し、
前記所定領域は、前記電極体において、前記第一方向と直交し且つ前記第一の電極に沿った方向における前記第一電極本体の両端部と対応する領域である、蓄電装置。
【発明の詳細な説明】
【技術分野】
【０００１】
本発明は、第一の電極と第二の電極とがセパレータを介して重ねられた電極体を備えた蓄電素子、及び前記蓄電素子を備える蓄電装置に関する。
【背景技術】
【０００２】
従来から、図１９に示すような、正極板５０１と負極板５０２とをセパレータ５０３を介して複数枚積層した極板群５０４を電池ケース５０５に収めた角型リチウム二次電池５００が知られている（特許文献１参照）。この角型リチウム二次電池５００では、正極板５０１と負極板５０２とセパレータ５０３とが同じ大きさの矩形状である。また、正極板５０１の耳部５０１ａは集合され、リード端子５０６と接続されて、正極端子５０７へと接続されている。また、負極板５０２も同様に、それぞれの耳部５０２ａが集合され、リード端子５０８と接続し、負極端子を兼用する電池ケース５０５へ接続されている。
【０００３】
この角型リチウム二次電池５００では、正極板５０１、負極板５０２、セパレータ５０３が全て同じ大きさであるため、熱等によってセパレータ５０３が収縮したり、振動等によって例えば正極板５０１がずれたりすると、正極板５０１が負極板５０２に接触して短絡し易い。
【０００４】
そこで、前記短絡を防ぐために、図２０及び図２１に示すように、平板状の正極６０１、負極６０２、及びセパレータ６０３が積層されてなる電極積層体６０４において、セパレータ６０３を正極６０１及び負極６０２より大きくし、セパレータ６０３の周縁部を全周に亘って正極６０１及び負極６０２周縁より外側に位置するように電極積層体６０４を構成することによって、前記ずれによる短絡を防ぐことが考えられる（特許文献２参照）。
【０００５】
しかし、セパレータ６０３の周縁部を全周に亘って正極６０１及び負極６０２の周縁より外側に位置させると、電極積層体６０４の体積増加（詳しくは、電極積層体６０４における充放電に寄与しない部位の体積増加）が大きくなり、該電極積層体６０４を備える電極積層型電池におけるエネルギー密度が低下する。
【先行技術文献】
【特許文献】
【０００６】
【特許文献１】特開平０４−１６７３７５号公報
【特許文献２】特開２０１２−２０９０７２号公報
【発明の概要】
【発明が解決しようとする課題】
【０００７】
そこで、本実施形態は、電極体全体の体積増加を抑制しつつ、セパレータが収縮したときの第一の電極と第二の電極との接触を抑制できる蓄電素子、及び前記蓄電素子を備える蓄電装置を提供することを目的とする。
【課題を解決するための手段】
【０００８】
本実施形態の蓄電素子は、
第一の電極、セパレータ、及び前記第一の電極と極性が異なる第二の電極を有し、前記第一の電極と前記第二の電極とが前記セパレータを介して重なる電極体を備え、
前記第一の電極は、第一電極本体と、該第一電極本体の周縁から延びる第一延出片と、を有し、
前記第二の電極は、第二電極本体と、該第二電極本体の周縁から延びる第二延出片と、を有し、
前記第一延出片が延びる第一方向における前記セパレータの各端縁は、該第一方向における前記第一電極本体の対応する端縁より外側にあり、
前記第一延出片は、その先端を含む部位が前記セパレータの端縁より突出する位置まで延び、
前記セパレータの前記第一方向の寸法は、前記第二電極本体の前記第一方向の寸法より大きく、
前記セパレータの前記第一方向の端縁のうちの前記第一延出片が突出している側の第一端縁とは反対側の第二端縁は、前記第二電極本体の対応する端縁と同じ位置にある。
【０００９】
かかる構成によれば、セパレータの第一方向の寸法が第二電極本体の第一方向の寸法より大きいため、第二端縁を第二電極本体の対応する端縁と同じにすることで、第一端縁（第一延出片の突出側の端縁）を第二電極本体の対応する端縁より第一延出片の突出方向側に突出させることができ、これにより、セパレータの収縮時における第一延出部（第一の電極）と第二電極本体（第二の電極）との接触を抑制することができる。しかも、セパレータの第二端縁が第二電極本体の対応する端縁と同じ位置にあるため、セパレータの周縁部が全周に亘って第二電極本体の周縁の外側に位置する場合に比べ、体積増加が抑制される。
【００１０】
前記蓄電素子では、
第一の壁部及び該第一の壁部と間隔をあけて対向する第二の壁部を含み且つ前記第一の壁部と前記第二の壁部との間に前記電極体を収容するケースを備え、
前記セパレータの前記第一端縁が前記第一の壁部に直接又は間接に当接すると共に、前記セパレータの前記第二端縁が前記第二の壁部に直接又は間接に当接してもよい。
【００１１】
かかる構成によれば、セパレータの第一端縁と第二端縁とがケースにおいて対向する壁部（第一の壁部と第二の壁部）に直接又は間接に当接しているため、第一の壁部と第二の壁部との対向方向にケースが振動しても、セパレータが位置ずれし難い。これにより、延出片と第二の電極との接触をより確実に抑えることができる。
【００１２】
この場合、前記蓄電素子では、
前記第一の壁部の前記ケースの内側を向いた内面は、前記第一延出片と対応する位置に設けられた凹部を含んでもよい。
【００１３】
かかる構成によれば、第一延出片が凹部内に配置されることで、第一の壁部とセパレータの第一端縁との間に挟み込まれた第一延出部によるセパレータの損傷を抑えることができる。即ち、第一の壁部に凹部を設けない場合、セパレータの第一端縁がケースの第一の壁部に当接すると、第一延出部が第一の壁部と第一端縁との間に挟まれ、これにより、第一延出片のエッジ（端縁角部）がセパレータに当接するが、前記凹部を設けて該凹部内に第一延出片を配置することで、前記第一延出片のエッジのセパレータとの当接を抑え、この当接に起因するセパレータの損傷を抑えることができる。
【００１４】
前記蓄電素子では、
前記第二電極本体は、前記第一方向と直交する第二方向の一方側が開放されるように折り返された第一の折り返し部と、前記第二方向の他方側が開放されるように折り返された第二の折り返し部とが交互に配置されたつづら折り状態であり、
前記第一の電極は、前記第一延出片の延びる方向が各折り返し部のターン軸の延びる方向に沿うように前記第一の折り返し部の内側と前記第二の折り返し部の内側とのそれぞれに配置され、
前記第一の折り返し部及び前記第二の折り返し部の各折り返し部において前記第一の電極と前記第二の電極との間に配置されている前記セパレータは、二軸延伸されたセパレータであってもよい。
【００１５】
各折り返し部の内側では、セパレータがターン軸の延びる方向（第一方向：例えば、図８参照）に縮み易い（第二方向に比べて大きく縮む）が、セパレータの第一端縁（第一延出片の突出側の端縁）が第二電極本体の対応する端縁より第一方向における第一延出片の突出側に突出しているため、セパレータが前記ターン軸の延びる方向に大きく収縮したとしても、第一延出片の第二電極本体との接触がより確実に抑えられる。即ち、つづら折り状態の第二電極本体の各折り返し部の内側では、セパレータの第二方向の両端部（即ち、各折り返し部のターン部（前記ターン軸周りに方向転換している部位）に近い部位、及び前記ターン部が隣り合う部位の近傍：例えば、図１４の領域α参照）が圧迫され易いため、折り返し部の前記ターン軸の延びる方向（第一方向）におけるセパレータの収縮量が、第二方向におけるセパレータの収縮量に比べて顕著になる（大きくなる）。このため、かかる構成では、セパレータの第一端縁（第一延出片の突出側の端縁）を第二電極本体の対応する端縁の外側に突出させることで、セパレータが前記ターン軸の延びる方向に大きく収縮したときの第一延出片の第二電極本体との接触を防いでいる。
【００１６】
また、前記蓄電素子では、
前記電極体を収容するケースを備え、
前記セパレータは、二軸延伸されたセパレータであり、
前記ケースは、少なくとも前記電極体の所定領域を、前記第一の電極と前記第二の電極とが重なる方向の両側から押圧した状態で該電極体を収容し、
前記所定領域は、前記電極体において、前記第一方向と直交し且つ前記第一の電極に沿った方向における前記第一電極本体の両端部と対応する領域であってもよい。
【００１７】
かかる構成によれば、第二電極本体の各折り返し部の内側において、第二方向における第一電極本体の両端部と対応する領域が圧迫され、これにより、セパレータの第二方向の両端部が第二電極本体と第一電極本体とで強固に挟み込まれるため、セパレータが第二方向よりも折り返し部のターン軸の延びる方向（第一方向）に縮み易い（第二方向に比べて大きく縮む）が、セパレータの第一端縁（第一延出片の突出側の端縁）が第二電極本体の対応する端縁より外側に突出しているため、セパレータが第一方向に大きく収縮したとしても、第一延出片の第二電極本体との接触が確実に抑えられる。
【００１８】
また、別の実施形態の蓄電装置は、
上記のいずれかの複数の蓄電素子であって、前記第一の電極と前記第二の電極とが重なる方向に並ぶ複数の蓄電素子と、
前記複数の蓄電素子を保持する保持部材と、を備え、
前記複数の蓄電素子のそれぞれは、前記電極体を収容するケースを有し、
前記複数の蓄電素子の各セパレータは、二軸延伸されたセパレータであり、
前記保持部材は、各蓄電素子において少なくとも前記電極体の所定領域が前記第一の電極と前記第二の電極とが重なる方向の両側から前記ケースを介して押圧されるように前記複数の蓄電素子を保持し、
前記所定領域は、前記電極体において、前記第一方向と直交し且つ前記第一の電極に沿った方向における前記第一電極本体の両端部と対応する領域である。
【００１９】
かかる構成によれば、複数の蓄電素子のそれぞれの第二の電極の各折り返し部の内側において、電極体の所定領域（第一方向と直交し且つ第一電極本体に沿った方向（第二方向）における該第一電極本体の両端部と対応する領域）が圧迫されるため、セパレータが折り返し部のターン軸の延びる方向（第一方向）に縮み易い（第二方向に比べて大きく縮む）が、各蓄電素子の電極体においてセパレータの第一端縁（第一延出片の突出側の端縁）が第二電極本体の対応する端縁より外側に突出しているため、該セパレータが第一方向に大きく収縮したとしても、第一延出片の第二電極本体との接触が確実に抑えられる。しかも、各蓄電素子において、セパレータの第二端縁が第二電極本体の対応する端縁と同じ位置にあるため、セパレータの周縁部が全周に亘って第二電極本体の周縁の外側に位置する場合に比べ、体積増加が抑制される。
【発明の効果】
【００２０】
以上より、本実施形態によれば、電極体全体の体積増加を抑制しつつ、セパレータが収縮したときの第一の電極と第二の電極との接触を抑制できる蓄電素子、及び前記蓄電素子を備える蓄電装置を提供することができる。
【図面の簡単な説明】
【００２１】
【図１】図１は、本実施形態に係る蓄電素子の斜視図である。
【図２】図２は、前記蓄電素子の分解斜視図である。
【図３】図３は、図１のＩＩＩ−ＩＩＩ位置の断面図である。
【図４】図４は、図１のＩＶ−ＩＶ位置の断面図である。
【図５】図５は、電極体を説明するための斜視図である。
【図６】図６は、図５のＶＩ−ＶＩ位置における断面模式図である。
【図７】図７は、負極の構成を説明するための図である。
【図８】図８は、つづら折り状態の負極の構成を説明するための斜視図である。
【図９】図９は、折り返し部を説明するための斜視図である。
【図１０】図１０は、正極及びセパレータを含む枚葉状部材の構成を説明するための図である。
【図１１】図１１は、正極及びセパレータを含む枚葉状部材の構成を説明するための図である。
【図１２】図１２は、電極体における、正極、負極、及びセパレータの位置関係を説明するための図である。
【図１３】図１３は、蓋板の長手方向に沿った断面図である。
【図１４】図１４は、電極体において圧迫され易い領域を説明するための模式図である。
【図１５】図１５は、他実施形態の電極体の構成を説明するための模式図である。
【図１６】図１６は、他実施形態の電極体の構成を示す模式図である。
【図１７】図１７は、前記蓄電素子を備える蓄電装置の斜視図である。
【図１８】図１８は、前記蓄電装置の分解斜視図である。
【図１９】図１９は、従来の角型リチウム二次電池の極板群の構成を説明するための部分断面図である。
【図２０】図２０は、従来の電極積層体の構成を示す分解斜視図である。
【図２１】図２１は、前記電極積層体の斜視図である。
【発明を実施するための形態】
【００２２】
以下、本発明に係る蓄電素子の一実施形態について、図１〜図１４を参照しつつ説明する。蓄電素子には、一次電池、二次電池、キャパシタ等がある。本実施形態では、蓄電素子の一例として、充放電可能な二次電池について説明する。尚、本実施形態の各構成部材（各構成要素）の名称は、本実施形態におけるものであり、背景技術における各構成部材（各構成要素）の名称と異なる場合がある。
【００２３】
本実施形態の蓄電素子は、非水電解質二次電池である。より詳しくは、蓄電素子は、リチウムイオンの移動に伴って生じる電子移動を利用したリチウムイオン二次電池である。この種の蓄電素子は、電気エネルギーを供給する。蓄電素子は、単一又は複数で使用される。具体的に、蓄電素子は、要求される出力及び要求される電圧が小さいときには、単一で使用される。一方、蓄電素子は、要求される出力及び要求される電圧の少なくとも一方が大きいときには、他の蓄電素子と組み合わされて蓄電装置に用いられる。前記蓄電装置では、該蓄電装置に用いられる蓄電素子が電気エネルギーを供給する。
【００２４】
蓄電素子は、図１〜図４に示すように、電極体２を備える。また、蓄電素子１は、電極体２を収容するケース３と、少なくとも一部が外部に露出した状態でケース３に取り付けられる外部端子４と、電極体２と外部端子４とを接続する集電体５と、を備える。また、蓄電素子１は、電極体２とケース３との間に配置される絶縁部材６等も備える。尚、各図においては、構造を示すために、電極体２を構成する電極等の厚さが誇張して表される等、電極体２の構成が模式的に表されている。
【００２５】
電極体２は、図５及び図６にも示すように、第一の電極２２と、セパレータ２５と、第一の電極２２と極性が異なる第二の電極２１を有する。電極体２では、これら第一の電極２２と第二の電極２１とがセパレータ２５を介して重なっている。本実施形態の電極体２は、第一の電極２２と該第一の電極２２を挟み込むセパレータ２５とを有する枚葉状部材２６と、第一の電極２２と極性が異なり且つ枚葉状部材２６の厚さ方向において該枚葉状部材２６を挟み込む第二の電極２１と、を有する。この電極体２では、第一の電極２２は、正極であり、第二の電極２１は、負極である。
【００２６】
負極２１は、図７にも示すように、金属箔２１１と、金属箔２１１の両面のそれぞれに重ねられる負極活物質層２１２と、を有する。即ち、負極２１は、一つの金属箔２１１と一対の負極活物質層２１２とを有する。本実施形態の金属箔２１１は、例えば、銅箔である。この負極２１は、図８にも示すように、長尺な帯状であり、折り返し部２３を有する。
【００２７】
負極活物質層２１２は、負極活物質と、バインダーと、を有する。
【００２８】
負極活物質は、例えば、グラファイト、難黒鉛化炭素、及び易黒鉛化炭素などの炭素材、又は、ケイ素（Ｓｉ）及び錫（Ｓｎ）などのリチウムイオンと合金化反応を生じる材料である。本実施形態の負極活物質は、グラファイトである。
【００２９】
負極活物質層２１２に用いられるバインダーは、例えば、ポリフッ化ビニリデン（ＰＶＤＦ）、エチレンとビニルアルコールとの共重合体、ポリメタクリル酸メチル、ポリエチレンオキサイド、ポリプロピレンオキサイド、ポリビニルアルコール、ポリアクリル酸、ポリメタクリル酸、スチレンブタジエンゴム（ＳＢＲ）である。本実施形態のバインダーは、ポリフッ化ビニリデンである。
【００３０】
負極活物質層２１２は、ケッチェンブラック（登録商標）、アセチレンブラック、黒鉛等の導電助剤をさらに有してもよい。本実施形態の負極活物質層２１２は、導電助剤を有していない。
【００３１】
折り返し部２３は、図９に示すように、谷折り側の面である第一の面２３１及び山折り側の面（即ち、第一の面２３１と反対側の面）である第二の面２３２をそれぞれ有し且つ第一の面２３１同士を対向させた一対の平坦部２３３と、一対の平坦部２３３の端部同士を接続するターン部２３４と、を含む。本実施形態の負極２１は、ターン部２３４を反対に向けた状態で隣り合う折り返し部２３同士がその一部（平坦部２３３）を共通させた状態で連続するつづら折り状態（蛇腹状）である。
【００３２】
換言すると、負極２１は、所定方向（図８の左右方向）の一方側が開放されるように折り返された折り返し部（第一の折り返し部）２３Ａと、前記所定方向の他方側が開放されるように折り返された折り返し部（第二の折り返し部）２３Ｂとが交互に配置されたつづら折り状態である。そして、一つの折り返し部（第一折り返し部）２３Ａに着目したときに、第一折り返し部２３Ａと、その隣（図８における後ろ側）の折り返し部（第二折り返し部）２３Ｂとでは、第一折り返し部２３Ａのターン部２３４Ａと、第二折り返し部２３Ｂのターン部２３４Ｂとの間の平坦部２３３Ａ、２３３Ｂを共通させている。
【００３３】
この場合、図８に示すように、第一折り返し部２３Ａに着目したときの平坦部２３３Ａでは、第一折り返し部２３Ａにおける谷折り面側の面が第一の面２３１Ａであり、その反対側の面（山折り側の面）が第二の面２３２Ａである。一方、第二折り返し部２３Ｂに着目したときの平坦部２３３Ｂ（第一折り返し部２３Ａの平坦部２３３Ａと共通させた平坦部２３３Ｂ）では、第二折り返し部２３Ｂにおける谷折り面側の面が第一の面２３１Ｂであり、その反対側の面（山折り側の面）が第二の面２３２Ｂである。即ち、第一折り返し部２３Ａと第二折り返し部２３Ｂとで共通させている平坦部２３３Ａ、２３３Ｂでは、第一折り返し部２３Ａに着目したときと、第二折り返し部２３Ｂに着目したときとで、第一の面（折り返し部２３において向かい合う面）２３１と第二の面（折り返し部において反対方向を向く面）２３２とが逆になる。
【００３４】
図２〜図９に戻り、具体的には、負極２１では、帯状の負極２１が長尺方向において所定間隔で交互に折り返されることによって、平坦部２３３とターン部２３４とが交互に形成されている。即ち、長尺な負極２１が、図７に示す長手方向に所定間隔で交互に設定された山折り線２１Ａの位置と谷折り線２１Ｂの位置とで山折りと谷折りとが交互に繰り返されることによって、つづら折り状態となる。これにより、負極２１は、複数の平坦部２３３と複数のターン部２３４とを有し、複数の平坦部２３３のそれぞれは、平行若しくは略平行に並び、複数のターン部２３４のそれぞれは、隣り合う平坦部２３３の前記長尺方向の一端側の端部同士と他端側の端部同士とを交互に接続している。
【００３５】
以下では、平坦部２３３が並ぶ方向を直交座標系におけるＸ軸方向とし、平坦部２３３に対してターン部２３４が配置されている方向（図８における左右方向）を直交座標系におけるＹ軸方向とし、ターン部２３４のターン軸Ｓの延びる方向（図８参照）を直交座標系のＺ軸方向とする。
【００３６】
複数の平坦部２３３のそれぞれは、矩形状の平坦部本体２３３１と、平坦部本体２３３１の矩形状の輪郭を構成する一辺から突出する（本実施形態の例では、Ｚ軸方向の端縁からＺ軸方向に延びる）負極タブ（第二延出片）２３３２と、を有する。本実施形態の平坦部本体２３３１は、Ｙ軸方向に長い矩形状である。平坦部本体２３３１では、金属箔２１１の両面の全域が負極活物質層２１２に覆われ、負極タブ２３３２では、金属箔２１１が露出している。即ち、負極タブ２３３２は、負極活物質層２１２を有しない。本実施形態の負極２１では、平坦部本体２３３１とターン部２３４とが交互に連なることで、負極本体（第二電極本体）を構成する。
【００３７】
つづら折り状態の負極２１において、各平坦部２３３の負極タブ２３３２は、Ｘ軸方向から見て重なっている。本実施形態の負極２１では、各負極タブ２３３２は、平坦部本体２３３１のＺ軸方向の一方（図８における上側）の端縁におけるＹ軸方向の一方（図８における右側）の端部からＺ軸方向に延びている。この複数の平坦部本体２３３１のそれぞれから延びている負極タブ２３３２は、束ねられ、外部端子４と集電体５を介して接続されている（図３参照）。本実施形態の負極タブ２３３２の束は、溶接によって集電体５に接続されている。尚、負極タブ２３３２の束は、加締めによって集電体５に接続されてもよい。
【００３８】
複数のターン部２３４のそれぞれは、つづら折り状態の負極２１において、Ｚ軸方向に延びる軸をターン軸Ｓ（図８参照）として帯状の負極２１が旋回している（換言すると、ターン軸Ｓ周りに方向転換している）部位である。このターン部２３４においても、金属箔２１１の両面が負極活物質層２１２に覆われている。
【００３９】
正極２２は、図５、図６、図１０、及び図１１にも示すように、金属箔２２１と、金属箔２２１の両面のそれぞれに重ねられる正極活物質層２２２と、を有する。即ち、正極２２は、一つの金属箔２２１と一対の正極活物質層２２２とを有する。本実施形態の金属箔２２１は、例えば、アルミニウム箔である。この正極２２は、つづら折り状態の負極２１において、Ｘ軸方向に隣り合う平坦部２３３間のそれぞれに配置されている。このため、本実施形態の電極体２は、複数の正極２２を有している。
【００４０】
正極活物質層２２２は、正極活物質と、バインダーと、を有する。
【００４１】
本実施形態の正極活物質は、例えば、リチウム金属酸化物である。具体的に、正極活物質は、例えば、ＬｉａＭｅｂＯｃ（Ｍｅは、１又は２以上の遷移金属を表す）によって表される複合酸化物（ＬｉａＣｏｙＯ２、ＬｉａＮｉｘＯ２、ＬｉａＭｎｚＯ４、ＬｉａＮｉｘＣｏｙＭｎｚＯ２等）、ＬｉａＭｅｂ（ＸＯｃ）ｄ（Ｍｅは、１又は２以上の遷移金属を表し、Ｘは例えばＰ、Ｓｉ、Ｂ、Ｖを表す）によって表されるポリアニオン化合物（ＬｉａＦｅｂＰＯ４、ＬｉａＭｎｂＰＯ４、ＬｉａＭｎｂＳｉＯ４、ＬｉａＣｏｂＰＯ４Ｆ等）である。本実施形態の正極活物質は、ＬｉＮｉ１／３Ｃｏ１／３Ｍｎ１／３Ｏ２である。
【００４２】
正極活物質層２２２に用いられるバインダーは、負極活物質層２１２に用いられたバインダーと同様のものである。本実施形態のバインダーは、ポリフッ化ビニリデンである。
【００４３】
正極活物質層２２２は、ケッチェンブラック（登録商標）、アセチレンブラック、黒鉛等の導電助剤をさらに有してもよい。本実施形態の正極活物質層２２２は、導電助剤としてアセチレンブラックを有する。
【００４４】
具体的に、複数の正極２２のそれぞれは、正極本体（第一電極本体）２２３と、正極本体２２３の周縁から延びる正極タブ（第一延出片）２２４と、を有する。詳しくは、複数の正極２２のそれぞれは、矩形状の正極本体（第一電極本体）２２３と、正極本体２２３の矩形状の輪郭を構成する一辺から突出する（本実施形態の例では、Ｚ軸方向の端縁からＺ軸方向に延びる）正極タブ２２４と、を有する。本実施形態の正極本体２２３は、Ｙ軸方向に長い矩形状である。正極本体２２３では、金属箔２２１の両面の全域が正極活物質層２２２に覆われ、正極タブ２２４では、金属箔２２１が露出している。即ち、正極タブ２２４は、正極活物質層２２２を有しない。尚、正極タブ２２４の根元（正極活物質層２２２に隣り合う領域）には、無機粒子等の絶縁体を含む絶縁層が形成されてもよい。
【００４５】
正極本体２２３における正極活物質層２２２は、Ｘ軸方向に対向する（詳しくは、セパレータ２５を介して対向する）平坦部２３３の負極活物質層２１２よりＹ−Ｚ面（Ｙ軸とＺ軸とを含む平面）方向において小さい。即ち、正極本体２２３の正極活物質層２２２は、全域において平坦部２３３の負極活物質層２１２と対向し、平坦部２３３の負極活物質層２１２は、周縁部を除いた領域において正極本体２２３の正極活物質層２２２と対向する。
【００４６】
電極体２において、各正極２２の正極タブ２２４は、Ｘ軸方向から見て重なっている。本実施形態の正極２２では、各正極タブ２２４は、正極本体２２３のＺ軸方向の一方（図５における上側）の端縁におけるＹ軸方向の他方（平坦部本体２３３１に対する負極タブ２３３２の位置とは反対側：図５における左側）の端部からＺ軸方向に延びている。この複数の正極本体２２３のそれぞれから延びている正極タブ２２４は、束ねられ、外部端子４と集電体５を介して接続されている。本実施形態の正極タブ２２４の束は、負極タブ２３３２の束と同様に、溶接によって集電体５と接続されている（図３参照）。尚、正極タブ２２４の束は、加締めによって集電体５に接続されてもよい。
【００４７】
セパレータ２５は、絶縁性を有する部材であり、負極２１と正極２２との間に配置される。これにより、電極体２において、負極２１と正極２２とが互いに絶縁される。また、セパレータ２５は、ケース３内において、電解液を保持する。これにより、蓄電素子１の充放電時において、セパレータ２５を挟んで対向する負極２１と正極２２との間を、リチウムイオンが移動可能となる。
【００４８】
このセパレータ２５は、帯状であり、例えば、ポリエチレン、ポリプロピレン、セルロース、ポリアミドなどの多孔質膜によって構成される。本実施形態のセパレータ２５は、ＳｉＯ２粒子、Ａｌ２Ｏ３粒子、ベーマイト（アルミナ水和物）等の無機粒子を含んだ無機層を、多孔質膜によって形成された基材の上に設けることで形成されている。本実施形態のセパレータ２５の基材は、例えば、ポリエチレンによって形成される。
【００４９】
本実施形態のセパレータ２５は、二軸延伸されたものである。即ち、セパレータ２５は、二軸延伸フィルムである。二軸延伸されたセパレータ２５は、通常、多孔質構造が多方向に配向している。つまり、二軸延伸されたセパレータ２５に形成された孔の長手方向は、通常、一方向に揃っていない。このセパレータ２５は、正極２２を挟み込んでいる。具体的に、セパレータ２５は、正極本体２２３全体をＸ軸方向に挟み込むように覆っている。このセパレータ２５は、図１０及び図１１に示すように、矩形状のものを、間に正極２２を挟み込むようにして長尺方向の中央部で折り返し、折目部位を除いた三辺（各端縁部）を接合（接着、溶着等）されている。このセパレータ２５が正極２２を挟み込んだ状態で、セパレータ２５のＺ軸方向の各端縁２５１、２５２は、正極本体２２３の対応する端縁より外側にある。本実施形態のセパレータ２５の周縁は、正極本体２２３の周縁より外側にある（図１２参照）。この状態で、正極タブ２２４は、その先端を含む部位がセパレータ２５の端縁から突出する位置まで延びている（図１２参照）。
【００５０】
この正極２２を挟み込んだ状態のセパレータ２５は、Ｘ軸方向から見て矩形状であり、Ｚ軸方向の寸法は、負極２１の平坦部本体２３３１（負極本体）のＺ軸方向の寸法より大きい。また、セパレータ２５のＹ軸方向の寸法は、平坦部本体２３３１のＹ軸方向の寸法より大きいが、折り返し部２３の内側からはみ出ない大きさである。本実施形態の電極体２では、正極２２と、この正極２２を挟み込んだ状態のセパレータ２５とが、枚葉状部材２６を構成している。
【００５１】
以下では、セパレータ２５（枚葉状部材２６）における正極タブ２２４が突出している側（Ｚ軸方向の一方側）の端縁を第一端縁２５１と称し、第一端縁と反対側（Ｚ軸方向の他方側）の端縁を第二端縁２５２と称する。また、枚葉状部材２６（セパレータ２５）の第一端縁と第二端縁とを繋ぐ一対の端縁を第三端縁２５３と称する。
【００５２】
電極体２において、セパレータ２５の第一端縁２５１は、負極２１の対応する端縁（図１２における平坦部２３３の上端）２３５より外側（図１２における上側）にあり、第二端縁２５２は、負極２１の対応する端縁（図１２における平坦部２３３の下端）２３６と同じ位置にある。即ち、セパレータ２５のＺ軸方向の寸法が負極２１の平坦部２３３のＺ軸方向の寸法より大きく、このセパレータ２５の第二端縁が負極２１の対応する端縁と同じ位置であるため、セパレータ２５の第一端縁２５１は、負極２１の対応する端縁よりＺ軸方向の外側に位置している（突出している）。また、電極体２において、セパレータ２５の第三端縁２５３の一方は、ターン部２３４と当接し、他方は、折り返し部２３の開放されている側の端縁（図１２に示す例では左側の端縁）と同じ位置にある。
【００５３】
また、セパレータ２５の第一端縁２５１と第二端縁２５２とは、ケース３の内面と直接又は間接に当接している。本実施形態の第一端縁２５１と第二端縁２５２とは、絶縁部材６を介して（即ち、間接に）ケース３の内面と当接している（図４参照）。
【００５４】
図１〜図４に戻り、ケース３は、蓋板（第一の壁部）３２及び該蓋板３２と間隔をあけて対向する閉塞部（第二の壁部）３１１を含み且つ蓋板３２と閉塞部３１１との間に電極体２を収容する。具体的には、このケース３は、開口を有するケース本体３１と、ケース本体３１の開口を塞ぐ（閉じる）蓋板３２と、を有する。このケース３では、ケース本体３１と蓋板３２とによって内部空間が画定される。ケース３は、この内部空間に、電極体２と共に電解液を収容する。
【００５５】
この電解液は、非水溶液系電解液である。この電解液は、有機溶媒に電解質塩を溶解させることによって得られる。有機溶媒は、例えば、プロピレンカーボネート及びエチレンカーボネートなどの環状炭酸エステル類、ジメチルカーボネート、ジエチルカーボネート、及びエチルメチルカーボネートなどの鎖状カーボネート類である。電解質塩は、ＬｉＣｌＯ４、ＬｉＢＦ４、及びＬｉＰＦ６等である。本実施形態の電解液は、エチレンカーボネート、ジメチルカーボネート、及びエチルメチルカーボネートを、エチレンカーボネート：ジメチルカーボネート：エチルメチルカーボネート＝３：２：５の割合で調整した混合溶媒に、１ｍｏｌ／ＬのＬｉＰＦ６を溶解させたものである。
【００５６】
ケース３は、上記の電解液に耐性を有する金属によって形成される。本実施形態のケース３は、例えば、アルミニウム、又は、アルミニウム合金等のアルミニウム系金属材料によって形成される。
【００５７】
ケース本体３１は、板状の閉塞部３１１と、閉塞部３１１の周縁に接続される筒状の胴部（周壁）３１２と、を備える。
【００５８】
閉塞部３１１は、ケース本体３１が開口を上に向けた姿勢で配置されたときにケース本体３１の下端に位置する（即ち、前記開口が上を向いたときのケース本体３１の底壁部となる）部位である。本実施形態の閉塞部３１１は、矩形状である。
【００５９】
胴部３１２は、角筒形状、より詳しくは、偏平な角筒形状を有する。胴部３１２は、閉塞部３１１の周縁における長辺から延びる一対の長壁部３１３と、閉塞部３１１の周縁における短辺から延びる一対の短壁部３１４とを有する。短壁部３１４が一対の長壁部３１３の対応（詳しくは、Ｘ軸方向に対向）する端部同士をそれぞれ接続することによって、角筒状の胴部３１２が形成される。
【００６０】
以上のように、ケース本体３１は、開口方向（Ｚ軸方向）における一方の端部が塞がれた角筒形状（即ち、有底角筒形状）を有する。
【００６１】
蓋板３２は、ケース本体３１の開口を塞ぐ部材である。図１３にも示すように、この蓋板３２のケース３の内側（内部空間側）を向いた内面３２０は、正極タブ２２４と対応する位置に設けられた第一凹部（凹部）３２１を含む。また、内面３２０は、負極タブ２３３２と対応する位置に設けられた第二凹部３２２も含む。この蓋板３２の輪郭形状は、ケース本体３１の開口周縁部３１０（図２参照）に対応した形状である。
【００６２】
本実施形態の蓋板３２は、板状の部材であり、第一凹部３２１と第二凹部３２２とが設けられた部位の板厚も、一定又は略一定となっている。即ち、蓋板３２における外面（内面３２０と反対側の面）３２５は、第一凹部３２１と対応する位置に第一凸部３２６を含み、第二凹部３２２と対応する位置に第二凸部３２７を含む。
【００６３】
これら第一凹部３２１と第二凹部３２２との深さは、束ねられた正極タブ２２４又は束ねられた負極タブ２３３２が収まる寸法、即ち、外部端子４に接続されている正極タブ２２４の束、又は外部端子４に接続されている負極タブ２３３２の束が、セパレータ２５の第一端縁２５１よりも外側（図３における上側）に位置できる大きさに設定されている。
【００６４】
以上のように構成されるケース３には、負極２１の各平坦部２３３が長壁部３１３と平行（略平行）となる（即ち、各ターン部２３４が短壁部３１４と対向する）ように、絶縁部材６に覆われた状態の電極体２が収容される（図２〜図４参照）。このとき、ケース３は、電極体２の全体をＸ軸方向に圧迫（押圧）した状態で該電極体２を収容する。そして、電極体２のセパレータ２５の第一端縁２５１が蓋板３２（詳しくは、内面３２０における第一凹部３２１及び第二凹部３２２を除いた部位）に絶縁部材６を介して当接し、第二端縁２５２が閉塞部３１１に絶縁部材６を介して当接している。
【００６５】
外部端子４は、他の蓄電素子の外部端子又は外部機器等と電気的に接続される部位である。このため、外部端子４は、導電性を有する部材によって形成される。また、外部端子４は、溶接性の高い金属材料によって形成される。例えば、正極の外部端子４は、アルミニウム又はアルミニウム合金等のアルミニウム系金属材料によって形成され、負極の外部端子４は、銅又は銅合金等の銅系金属材料によって形成される。本実施形態の外部端子４は、少なくとも一部がケース３の外部に露出した状態で、蓋板３２の第一凸部３２６及び第一凹部３２１によって画定される部位、又は蓋板３２の第二凸部３２７及び第二凹部３２２によって画定される部位に取り付けられる。
【００６６】
絶縁部材６は、絶縁性を有する樹脂によって形成されている。具体的に、絶縁部材６は、図２〜図４に示すように、所定の形状に裁断された絶縁性を有するシート状の部材を折り曲げることによって袋状に形成されている。本実施形態の絶縁部材６は、ケース３に沿った形の袋状であり、第一凹部３２１及び第二凹部３２２と対応する位置が開口する。
【００６７】
以上の蓄電素子１によれば、セパレータ２５のＺ軸方向の寸法が負極本体（平坦部本体２３３１）のＺ軸方向の寸法より大きいため、第二端縁２５２を負極本体（平坦部本体２３３１）の対応する端縁と同じにすることで、第一端縁（正極タブ２２４の突出側の端縁）２５１を負極本体の対応する端縁より正極タブ２２４の突出方向側に突出させる、即ち、前記対応する端縁より外側に突出させることができる。これにより、セパレータ２５の収縮時における正極タブ２２４と負極本体（平坦部本体２３３１）との接触を抑制することができる。しかも、セパレータ２５の第二端縁２５２が負極本体の対応する端縁と同じ位置にあるため、セパレータ２５の周縁部が全周に亘って負極本体（平坦部本体２３３１）の周縁の外側に位置する場合に比べ、電極体２の体積増加が抑制される。また、負極２１と、セパレータ２５で挟み込まれた正極２２とを重ね合わせる際、セパレータ２５の第二端縁２５２を負極本体（平坦部本体２３３１）の対応する端縁と同じにすることで、第二端縁２５２を基準として負極２１、セパレータ２５、及び正極２２を位置合わせすることができる。さらに、これらを位置合わせした状態で、セパレータ２５の第一端縁（正極タブ２２４の突出側の端縁）２５１が負極本体（平坦部本体２３３１）の対応する端縁より正極タブ２２４の突出方向側に突出させることができる。
【００６８】
ここで、「対応する端縁と同じ位置にある」とは、完全な同じ位置に限らず、合理的と認められる範囲の余裕（具体的には、１ｍｍ以内の製造誤差、等）が含まれることは言うまでもない。
【００６９】
本実施形態の蓄電素子１では、セパレータ２５の第一端縁２５１が蓋板３２に間接に当接すると共に、セパレータ２５の第二端縁２５２が閉塞部３１１に間接に当接している。このように、セパレータ２５の第一端縁２５１と第二端縁２５２とがケース３において対向する壁部（蓋板３２と閉塞部３１１）に間接に当接しているため、本実施形態の蓄電素子１では、Ｚ軸方向（蓋板３２と閉塞部３１１との対向方向）にケース３が振動しても、セパレータ２５（枚葉状部材２６）が位置ずれし難い。その結果、正極タブ２２４と負極本体（平坦部本体２３３１）との接触をより確実に抑えることができる。
【００７０】
また、本実施形態の蓄電素子１では、蓋板３２の内面３２０が、正極タブ２２４と対応する位置に設けられた第一凹部３２１を含んでいる。このため、正極タブ２２４が第一凹部３２１内に配置されることで、蓋板３２とセパレータ２５の第一端縁２５１との間に挟み込まれた正極タブ２２４によるセパレータ２５の損傷（例えば、正極タブ２２４の端縁が当たることによってセパレータ２５が切れる等）を抑えることができる。詳しくは、以下の通りである。
【００７１】
蓋板３２の内面３２０に第一凹部３２１を設けない場合、セパレータ２５の第一端縁２５１がケース３の蓋板３２に当接すると、正極タブ２２４が蓋板３２とセパレータ２５の第一端縁２５１との間に挟まれる。この場合、正極タブ２２４のエッジ（端縁角部）がセパレータ２５に当接するが、正極タブ２２４が非常に薄い金属箔２２１であるため、セパレータ２５が裂ける等、損傷し易い。そこで、本実施形態の蓄電素子１では、蓋板３２の内面３２０に第一凹部３２１が設けられ、該第一凹部３２１内に正極タブ２２４の束が配置されることで、前記正極タブ２２４のエッジのセパレータ２５との当接が抑えられる。その結果、本実施形態の蓄電素子１では、この正極タブ２２４との当接に起因するセパレータ２５の損傷が抑えられる。
【００７２】
尚、蓋板３２の内面３２０は、負極タブ２３３２と対応する位置に設けられた第二凹部３２２も含んでいる。このため、負極タブ２３３２が第二凹部３２２内に配置されることで、蓋板３２とセパレータ２５の第一端縁２５１との間に挟み込まれた負極タブ２３３２によるセパレータ２５の損傷も抑えられる。
【００７３】
本実施形態の蓄電素子１では、セパレータ２５が二軸延伸されたものであり、各折り返し部２３の内側に枚葉状部材２６が配置されている。このため、負極２１の各折り返し部２３の内側では、以下の理由から、枚葉状部材２６のセパレータ２５がＺ軸方向（折り返し部２３のターン軸Ｓの延びる方向）に縮み易い（Ｙ軸方向に比べて大きく縮む）。
【００７４】
つづら折り状態の負極２１の各折り返し部２３では、ターン部２３４及びその近傍のＸ軸方向の厚さ寸法が、一対の平坦部２３３のＸ軸方向の厚さ寸法より若干大きくなっている。このため、電極体２がケース３に収容されることで該ケース３（一対の長壁部３１３）からＸ軸方向に圧迫（押圧）されると、各折り返し部２３の内側において、枚葉状部材２６のＹ軸方向の両端部（即ち、各折り返し部２３のターン部２３４に近い部位、及びターン部２３４がＸ軸方向に隣り合う部位：図１４の領域α参照）がＸ軸方向に圧迫される。これにより、セパレータ２５のＹ軸方向の収縮が抑えられる一方、Ｚ軸方向の収縮に対して前記圧迫はあまり作用しないため、収縮量が大きくなる。その結果、折り返し部２３のターン軸Ｓの延びる方向（Ｚ軸方向）におけるセパレータ２５の収縮量が、Ｙ軸方向におけるセパレータ２５の収縮量に比べて顕著になる（大きくなる）。
【００７５】
そこで、本実施形態の蓄電素子１では、セパレータ２５の第一端縁（正極タブ２２４の突出側の端縁）２５１を負極本体（平坦部本体２３３１）の対応する端縁より外側に突出させることで、セパレータ２５がＺ軸方向に大きく収縮したとしても、正極タブ２２４が負極本体と接触することを抑えることができる（図１２参照）。
【００７６】
ここで、セパレータ２５の第一端縁部（負極２１の第一端縁２５１と対応する端縁より突出している部位）２５１０（図１２参照）は、負極２１の折り返し部２３に挟み込まれていないため、負極２１の折り返し部２３に挟み込まれている第二端縁部（第二端縁２５２を含む部位）よりも収縮し易い。特に、第一端縁部２５１０のうちでも、折り返し部２３が開放されている側（ターン部２３４と反対側）の部位程収縮し易い。しかし、セパレータ２５の第一端縁（正極タブ２２４の突出側の端縁）２５１が負極本体（平坦部本体２３３１）の対応する端縁２３５より十分外側に配置されることで、第一端縁部２５１０が大きく収縮しても、正極タブ２２４が負極本体と接触することを効果的に防ぐことができる。
【００７７】
尚、本発明の蓄電素子は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００７８】
上記実施形態の蓄電素子１では、電極体２は、つづら折り状態の負極２１と、枚葉状の正極２２とを有する構成であるが、この構成に限定されない。例えば、図１５に示すように、電極体２は、枚葉状の負極２１と枚葉状の正極２２とが積層される構成（いわゆるスタック型）でもよい。この場合、セパレータ２５は、負極２１と正極２２との少なくとも一方を挟み込む。また、図１６に示すように、電極体２は、それぞれが独立した負極２１によって構成される複数の折り返し部２３を有し、各折り返し部２３の内側、及び隣り合う折り返し部２３同士の間に枚葉状部材２６が配置される構成であってもよい。
【００７９】
上記実施形態の蓄電素子１では、枚葉状部材２６のＺ軸方向の両端縁が絶縁部材６を介してケース３に当接している、詳しくは、セパレータ２５の第一端縁２５１と第二端縁２５２とが絶縁部材６を介して蓋板３２と閉塞部３１１とに当接しているが、この構成に限定されない。枚葉状部材２６のＺ軸方向の一方の端縁（例えば、セパレータ２５の第一端縁２５１）は、ケース３に直接又は間接に当接していなくてもよい。
【００８０】
上記実施形態の蓄電素子１では、枚葉状部材２６のセパレータ２５は、二軸延伸されたものであるが、この構成に限定されない。セパレータ２５は、一軸延伸されたものでもよい。一軸延伸されたセパレータ２５は、通常、多孔質構造が一方向（延伸方向）に配向している。つまり、一軸延伸されたセパレータ２５に形成された孔の長手方向は、通常、一方向に揃っている。一軸延伸されたセパレータは、延伸方向には収縮しやすいが、延伸方向と直交する方向には収縮がし難い。このため、セパレータ２５は、延伸方向がＹ軸方向と一致するように配置されることが好ましい。また、つづら折り状態の負極２１を用いる場合、セパレータ２５の延伸方向がＹ軸方向と一致するように配置されることが特に好ましい。つづら折り状態の負極２１を用いることにより、ターン部２３４に近い部位及びターン部２３４がＸ軸方向に隣り合う部位がＸ軸方向に圧迫される。これにより、セパレータ２５のＹ軸方向の収縮が抑えられると共に、延伸方向と直交するＺ軸方向の収縮が抑えられる。その結果、正極タブ２２４が負極２１と接触することを抑えることができる。
【００８１】
上記実施形態の蓄電素子１では、ケース３は、電極体２の全体をＸ軸方向に圧迫するが、この構成に限定されない。電極体２は、ケース３の内部において、少なくとも正極本体２２３のＹ軸方向の両端部と対応する領域（例えば、Ｘ軸方向から見て重なる領域）を圧迫されていればよい。この圧迫は、ケース３によって行われてもよく、ケース３の内部に配置される部材によって行われてもよい。
【００８２】
例えば、ケース３にエンボス加工が施される等により、ケース３の内面から電極体２に向かって突出する凸部が形成され、当該凸部により電極体２を圧迫してもよい。また、ケース３に収容される絶縁部材６のうち、電極体２を圧迫したい部分に対応する領域の厚みを大きくすることにより、電極体２を圧迫してもよい。さらに、電極体２の外周に絶縁テープを貼りつけることにより電極体２を圧迫してもよい。この場合、電極体２の外周寸法が、絶縁テープを貼りつける前よりも絶縁テープを貼りつけた後のほうが小さくなるように絶縁テープを貼りつけるとよい。
【００８３】
また、上記実施形態においては、蓄電素子が充放電可能な非水電解質二次電池（例えばリチウムイオン二次電池）として用いられる場合について説明したが、蓄電素子の種類や大きさ（容量）は任意である。また、上記実施形態において、蓄電素子の一例として、リチウムイオン二次電池について説明したが、これに限定されるものではない。例えば、本発明は、種々の二次電池、その他、一次電池や、電気二重層キャパシタ等のキャパシタの蓄電素子にも適用可能である。
【００８４】
上記実施形態の蓄電素子（例えば電池）１は、例えば図１７及び図１８に示すような蓄電装置（蓄電素子が電池の場合は電池モジュール）１１に用いられてもよい。この蓄電装置１１は、複数の蓄電素子１と、蓄電素子１と隣接する複数の隣接部材１２と、複数の蓄電素子１及び複数の隣接部材１２をひとまとめに保持する保持部材１３と、異なる蓄電素子１の外部端子４同士を導通可能に接続するバスバ１４と、を備える。また、この蓄電装置１１は、複数の蓄電素子１と保持部材１３との間に配置されるインシュレータ１５等も備える。
【００８５】
保持部材１３は、Ｘ軸方向に隣接部材１２を介して並ぶ複数の蓄電素子１をＸ軸方向の両側から挟み込む一対の終端部材１３１と、一対の終端部材１３１を連結する連結部材１３２と、を有する。この保持部材１３は、各蓄電素子１において少なくとも電極体２の所定領域（Ｙ軸方向における正極本体２２３の両端部と対応する領域（例えば、Ｘ軸方向から見て重なる領域））がＸ軸方向の両側からケース３を介して押圧（圧迫）されるように複数の蓄電素子１を保持する。この電極体２への押圧（圧迫）は、保持部材１３によって複数の蓄電素子１が保持されることで加えられる構成でもよく、隣接部材１２が蓄電素子１間に配置された状態で蓄電素子１と隣接部材１２とが一緒に保持部材１３に保持されることで加えられる構成でもよい。
【００８６】
かかる構成によっても、複数の蓄電素子１のそれぞれの負極２１の各折り返し部２３の内側において、枚葉状部材２６の所定領域（Ｙ軸方向における正極本体２２３の両端部と対応する領域（Ｘ軸方向から見て重なっている領域））が圧迫される。このため、枚葉状部材２６のセパレータ２５が折り返し部２３のターン軸Ｓの延びる方向（Ｚ軸方向）に縮み易い（前記所定方向に比べて大きく縮む）。しかし、各蓄電素子１の電極体２においてセパレータ２５の第一端縁２５１が負極２１の対応する端縁２３５より外側にあり且つ正極２２が正極本体２２３より大きなセパレータ２５に挟み込まれているため、該セパレータ２５が前記ターン軸Ｓの延びる方向に大きく収縮したとしても、正極本体２２３や正極タブ２２４の負極２１との接触が抑えられる。
【符号の説明】
【００８７】
１…蓄電素子、２…電極体、２１…負極（電極）、２１Ａ…山折り線、２１Ｂ…谷折り線、２１１…金属箔、２１２…負極活物質層、２２…正極（電極）、２２１…金属箔、２２２…正極活物質層、２２３…正極本体（第一電極本体）、２２４…正極タブ（第一延出片）、２３…折り返し部、２３Ａ…第一折り返し部、２３Ｂ…第二折り返し部、２３１、２３１Ａ、２３１Ｂ…第一の面、２３２、２３２Ａ、２３２Ｂ…第二の面、２３３、２３３Ａ、２３３Ｂ…平坦部、２３３１…平坦部本体、２３３２…負極タブ（第二延出片）、２３４、２３４Ａ、２３４Ｂ…ターン部、２３５…セパレータの第一端縁と対応する負極の端縁、２５…セパレータ、２５１…第一端縁、２５１０…第一端縁部、２５２…第二端縁、２５３…第三端縁、２６…枚葉状部材、３…ケース、３１…ケース本体、３１０…開口周縁部、３１１…閉塞部、３１２…胴部、３１３…長壁部、３１４…短壁部、３２…蓋板、３２０…蓋板の内面、３２１…第一凹部、３２２…第二凹部、３２６…第一凸部、３２７…第二凸部、４…外部端子、５…集電体、６…絶縁部材、１１…蓄電装置、１２…隣接部材、１３…保持部材、１３１…終端部材、１３２…連結部材、１４…バスバ、１５…インシュレータ、５００…角型リチウム二次電池、５０１…正極板、５０１ａ…正極板の耳部、５０２…負極板、５０２ａ…負極板の耳部、５０３…セパレータ、５０４…極板群、５０５…電池ケース、５０６…リード端子、５０７…正極端子、５０８…リード端子、６０１…正極、６０２…負極、６０３…セパレータ、６０４…電極積層体、Ｓ…ターン軸、α…電極体においてＸ軸方向に圧迫され易い領域
【図１】
2019053818.tif 000003
【図２】
2019053818.tif 000004
【図３】
2019053818.tif 000005
【図４】
2019053818.tif 000006
【図５】
2019053818.tif 000007
【図６】
2019053818.tif 000008
【図７】
2019053818.tif 000009
【図８】
2019053818.tif 000010
【図９】
2019053818.tif 000011
【図１０】
2019053818.tif 000012
【図１１】
2019053818.tif 000013
【図１２】
2019053818.tif 000014
【図１３】
2019053818.tif 000015
【図１４】
2019053818.tif 000016
【図１５】
2019053818.tif 000017
【図１６】
2019053818.tif 000018
【図１７】
2019053818.tif 000019
【図１８】
2019053818.tif 000020
【図１９】
2019053818.tif 000021
【図２０】
2019053818.tif 000022
【図２１】
2019053818.tif 000023